(57)【要約】  行先階表示の視認性に優れ、かつ、行先階を迅速に表示することができるエレベータの行先階表示装置を提供する。このため、エレベータの乗場及びかごの少なくとも一方に設けられた表示装置と、表示装置の一画面に同時に表示させる行先階の１よりも大きい最大表示数を格納した表示情報格納装置と、表示装置に表示させる行先階の数が最大表示数よりも少ない場合は、行先階を、表示装置上に同時に表示させ、表示装置に表示させる行先階の数が最大表示数よりも多い場合は、行先階を、最大表示数よりも少ない数に分割して、表示装置上に切り替え表示させる表示制御装置とを備える構成とした。
2010001466.tif 000002
【特許請求の範囲】
【請求項１】
エレベータの乗場及びかごの少なくとも一方に設けられた表示装置と、
前記表示装置の一画面に同時に表示させる行先階の１よりも大きい最大表示数を格納した表示情報格納装置と、
前記表示装置に表示させる行先階の数が前記最大表示数よりも少ない場合は、行先階を、前記表示装置上に同時に表示させ、
前記表示装置に表示させる行先階の数が前記最大表示数よりも多い場合は、行先階を、前記最大表示数よりも少ない数に分割して、前記表示装置上に切り替え表示させる表示制御装置と、
を備えたことを特徴とするエレベータの行先階表示装置。
【請求項２】
前記表示制御装置は、通常時に、前記表示装置に、エレベータの進行方向の最寄行先階から一画面分の行先階を表示させ、行先階の追加時に、前記表示装置に、追加された行先階を含む一画面を、一定時間、表示させることを特徴とする請求項１記載のエレベータの行先階表示装置。
【請求項３】
前記表示制御装置は、前記一定時間中、前記表示装置に、前記追加された行先階を、通常表示と異なる方法で表示させることを特徴とする請求項２記載のエレベータの行先階表示装置。
【請求項４】
前記表示制御装置は、前記かごが行先階に到着したときに、前記表示装置に、前記かごが到着した行先階を、通常表示と異なる方法で表示させることを特徴とする請求項１〜請求項３のいずれかに記載のエレベータの行先階表示装置。
【発明の詳細な説明】
【技術分野】
【０００１】
この発明は、エレベータの行先階表示装置に関するものである。
【背景技術】
【０００２】
従来のエレベータの行先階表示装置では、固定位置に、行先階となり得る階床全てがランプ表示される（例えば、特許文献１参照）。
また、別の従来のエレベータの表示装置では、文字数が予め決められた最大表示数よりも少ない時は、全ての文字が表示される。一方、文字数が予め決められた最大表示数よりも多い場合は、全ての文字がスクロール表示される。（例えば、特許文献２参照）。【０００３】
【特許文献１】日本特許第２５１０７４６号公報
【特許文献２】日本特公平６−１５３９４号公報
【発明の開示】
【発明が解決しようとする課題】
【０００４】
しかし、特許文献１記載のものは、建物の階床が多い場合に、一つ当りの行先階表示が小さくなる。このため、視力の弱い利用者にとって、視認性が悪いという問題があった。
一方、特許文献２記載のもので行先階を表示する場合は、利用者が行先階を認識しやすくなる。しかし、登録された行先階が多いと、目的の行先階がスクロールで表示されるまで待つ必要があった。【０００５】
この発明は、上述のような課題を解決するためになされたもので、その目的は、行先階表示の視認性に優れ、かつ、行先階を迅速に表示することができるエレベータの行先階表示装置を提供することである。
【課題を解決するための手段】
【０００６】
この発明に係るエレベータの行先階表示装置は、エレベータの乗場及びかごの少なくとも一方に設けられた表示装置と、前記表示装置の一画面に同時に表示させる行先階の１よりも大きい最大表示数を格納した表示情報格納装置と、前記表示装置に表示させる行先階の数が前記最大表示数よりも少ない場合は、行先階を、前記表示装置上に同時に表示させ、前記表示装置に表示させる行先階の数が前記最大表示数よりも多い場合は、行先階を、前記最大表示数よりも少ない数に分割して、前記表示装置上に切り替え表示させる表示制御装置とを備えたものである。
【発明の効果】
【０００７】
この発明によれば、行先階表示の視認性に優れ、かつ、行先階を迅速に表示することができるエレベータの行先階表示装置が提供される。
【図面の簡単な説明】
【０００８】
【図１】この発明の実施の形態１におけるエレベータの行先階表示装置の全体構成図である。
【図２】この発明の実施の形態１におけるエレベータの行先階表示装置が表示する画面を示す図である。
【図３】この発明の実施の形態１におけるエレベータの行先表示装置が行先階を表示する場合の動作を示すフローチャートである。
【図４】この発明の実施の形態２におけるエレベータの行先階表示装置が表示する画面を示す図である。
【図５】この発明の実施の形態２におけるエレベータの行先表示装置が行先階を表示する場合の動作を示すフローチャートである。
【符号の説明】
【０００９】
１  エレベータ制御装置、  ２  通信路、  ３  行先階表示装置、  ４  表示部、
５  通信部、  ６  マイコン、  ７  記憶部、  ８  表示情報格納部、
９  表示制御部、  １０  メッセージ、  １１  通常表示、  １２  拡大表示、
１３  消灯表示、  １４  変色表示
【発明を実施するための最良の形態】
【００１０】
この発明を実施するための最良の形態について添付の図面に従って説明する。なお、各図中、同一又は相当する部分には同一の符号を付しており、その重複説明は適宜に簡略化ないし省略する。【００１１】
実施の形態１．
図１はこの発明の実施の形態１におけるエレベータの行先階表示装置の全体構成図である。
図１において、１はエレベータ制御装置である。このエレベータ制御装置１は、通信路２を介して行先階表示装置３に接続される。この行先階表示装置３は、エレベータの乗場やかごに少なくとも一つ設けられる。この行先階表示装置３は、表示部４、通信部５、マイコン６、記憶部７、表示情報格納部８、表示制御部９を備える。【００１２】
表示部４は、液晶ディスプレイ、プラズマディスプレイ、ＬＥＤ、ブラウン管等の表示装置からなる。通信部５は、通信路２を制御する。マイコン６は、行先階表示装置３全体を制御する。記憶部７は、プログラム格納用記憶部、作業用記憶部からなる。プログラム格納用記憶部は、表示制御用プログラムを格納する。作業用記憶部は、表示制御用プログラム実行の作業領域を確保する。【００１３】
表示情報格納部８は、表示部４に表示させる行先階表示の文字や図形の表示情報を格納する。また、表示情報格納部８は、表示部４の一画面に同時に表示させる行先階の１よりも大きい最大表示数を格納する。即ち、表示情報格納部８は、行先階表示に必要な各種情報を格納する格納装置として機能する。表示制御部９は、マイコン６からの指示により、表示部４の画面表示を制御する。即ち、表示制御部９は、行先階表示を制御する制御装置として機能する。【００１４】
なお、表示情報格納部８、記憶部７は、ハードディスクドライブ、不揮発性メモリ、随時書込み保持動作の必要なメモリ等の記憶装置からなる。また、表示情報格納部８、記憶部７は、マイコン６に内蔵される場合もある。【００１５】
かかる構成の行先階表示装置３においては、行先階情報が、エレベータ制御装置１から、通信路２、通信部５を介してマイコン６に送信される。マイコン６は、行先階情報を受信すると、表示制御用プログラムに基づき、作業用記憶部を使用しながら動作する。具体的には、マイコン６は、行先階情報に応じた表示情報を表示情報格納部８から取り出し、表示制御部９に送信する。表示制御部９は、当該表示情報に基づいて、表示部４に行先階を表示させる。【００１６】
このとき、表示部４に表示させる行先階の数が最大表示数よりも少ない場合、表示制御部９は、行先階を、表示部４上に同時に表示させる。一方、表示部４に表示させる行先階の数が最大表示数よりも多い場合、表示制御部９は、行先階を、最大表示数よりも少ない数に分割して、表示部４上に切り替え表示させる。【００１７】
次に、行先階表示装置３による行先階表示の詳細例を示す。
図２はこの発明の実施の形態１におけるエレベータの行先階表示装置が表示する画面を示す図である。
図２において、表示部４の画面下部には、「階にとまります」のメッセージ１０が静止表示される。この表示は、他の文言でもよいし、静止しないでもよい。そして、表示制御部９が、行先階情報から、行先階の並びである行先階表示配列を作成する。ここで、表示情報格納部８には、最大表示数として６が設定されているとする。この場合、最大、６個の行先階が、表示部４上に同時に表示可能となる。【００１８】
このため、例えば、行先階が５、７、１０、１１、１２、１５、１７、１９階の８個の場合、８÷６＝１．３３３となり、２画面に分割される。そして、必要な画面数及び一画面当りの行先階数から、表示部４における行先階の表示位置が計算される。そして、エレベータの進行方向の最寄階を含む画面が一定時間表示される。より具体的には、表示器４に、エレベータの進行方向の最寄行先階から一画面分の行先階が表示される。【００１９】
そして、まず、５、７、１０、１１、１２、１５階が表示される。具体的には、５、７、１０階が表示部４の上段に表示されるとともに、１１、１２、１５階が表示部４の下段に表示される。その後、表示部４の画面が切り替わり、１７、１９階が表示される。具体的には、１７階が表示部４の上段左側に表示されるとともに、１９階が表示部４の上段中央に表示される。なお、これらの表示位置は、特に、限定されない。【００２０】
例えば、表示位置は、左右中央揃えでもよく、上下中央揃えでもよい。具体的には、最初に、行先階として５階が登録されると、５階が表示部４の中央に表示されるようにしてもよい。その後、行先階として１０階が登録されると、５階と１０階が表示部４の中央に表示されるようにしてもよい。その後、行先階として７階が登録されると、５、７、１０の順に、表示部４の中央に表示されるようにしてもよい。【００２１】
次に、図３を用いて、行先階表示装置３の動作の例を説明する。
図３はこの発明の実施の形態１におけるエレベータの行先表示装置が行先階を表示する場合の動作を示すフローチャートである。
まず、ステップＳ１で、表示部４に背景画面やメッセージ１０等の初期画面が表示され、ステップＳ２へ進む。ステップＳ２では、行先階表示配列が作成され、ステップＳ３に進む。ステップＳ３では、行先階情報から画面数が設定され、ステップＳ４に進む。【００２２】
ステップＳ４では、行先階の表示位置が計算され、ステップＳ５に進む。ステップＳ５では、一定時間、最寄階を含む画面が表示され、ステップＳ６に進む。ステップＳ６では、行先階の追加又は削除があったか否かが判定される。そして、行先階の追加等がなかった場合は、ステップＳ５に戻り、切り替え表示がなされる。一方、行先階の追加等があった場合は、行先階表示装置３の動作が終了し、再び、スタートに戻る。そして、エレベータの進行方向で現在位階に近い画面を表示し、上記動作が繰り返される。【００２３】
以上で説明した実施の形態１によれば、行先階の数が最大表示数よりも少ない場合は、行先階が、表示部４上に同時に表示される。一方、行先階の数が最大表示数よりも多い場合は、行先階が、最大表示数よりも少ない数に分割され、表示部４上に切り替え表示される。このため、静止した画面に適切な大きさで、行先階を表示することができる。【００２４】
また、行先階が多くなり、全ての行先階を表示部４に表示できない場合でも、逐次画面を切り替えることにより、迅速かつ漏れなく行先階を表示することができる。また、通常時は、表示器４に、エレベータの進行方向の最寄行先階から一画面分の行先階が表示される。このため、利用者が、今後しばらくの間、エレベータがどの階にとまるかを認識しやすくなる。【００２５】
実施の形態２．
図４はこの発明の実施の形態２におけるエレベータの行先階表示装置が表示する画面を示す図である。なお、実施の形態１と同一又は相当部分には同一符号を付して説明を省略する。
実施の形態２は、実施の形態１の表示制御部９に、かごが到着した行先階及び追加された行先階を、認識しやすく表示させる機能を付加したものである。以下、実施の形態２に特有の行先階表示の詳細例を説明する。【００２６】
図４の右側上段には、かごが到着した行先階又は追加された行先階が、大きさを変化させて表示される場合が示される。具体的には、１７階の通常表示１１と拡大表示１２との切り替えが、一定時間（例えば３秒）、繰り返される。図４の右側中段には、かごが到着した行先階又は追加された行先階が、点滅表示される場合が示される。具体的には、１７階の通常表示１１と消灯表示１３との切り替えが、一定時間、繰り返される。【００２７】
図４の右側下段には、かごが到着した行先階又は追加された行先階が、色を変化させて表示される場合が示される。具体的には、１７階の通常表示１１と変色表示１４との切り替えが、一定時間、繰り返される。なお、一定時間、かごが到着した行先階又は追加された行先階の拡大表示１２、消灯表示１３、変色表示１４が維持されるようにしてもよい。【００２８】
図５はこの発明の実施の形態２におけるエレベータの行先表示装置が行先階を表示する場合の動作を示すフローチャートである。
ステップＳ１１〜Ｓ１６までは、実施の形態１における図３のステップＳ１〜Ｓ６と同様の動作であるため、説明は省略する。【００２９】
実施の形態２においては、ステップＳ１６で、かごが到着した行先階又は追加された行先階があると、ステップＳ１７に進む。ステップＳ１７では、かごが到着した行先階又は追加された行先階を含む画面が表示される。そして、一定期間、かごが到着した行先階又は追加された行先階が、通常表示１１と異なる方法で表示される。その後、行先階表示装置３の動作が終了し、スタートに戻る。【００３０】
以上で説明した実施の形態２によれば、かごが到着した行先階又は追加された行先階を含む一画面が、一定時間、表示器４に表示される。このため、利用者が、かごが到着した行先階や追加された行先階を認識しやすくなる。また、かごが到着した行先階又は追加された行先階は、通常表示１１と異なる方法で表示器４に表示される。このため、利用者が、かごが到着した行先階や追加された行先階をより認識しやすくなる。
【産業上の利用可能性】
【００３１】
以上のように、この発明にかかるエレベータの行先階表示装置によれば、エレベータの乗場又はかごに行先階表示装置が設けられたエレベータに利用できる。
【図１】
2010001466.tif 000003
【図２】
2010001466.tif 000004
【図３】
2010001466.tif 000005
【図４】
2010001466.tif 000006
【図５】
2010001466.tif 000007
【国際調査報告】
2010001466.tif 000008
2010001466.tif 000009